(57)【特許請求の範囲】
【請求項１】
建物の貫通穴付き構造体の前記貫通穴に設けられるスリーブと、
前記スリーブの端部の開口に着脱可能に設けられるキャップ材と、
を備え、前記スリーブの外周には径方向外側へ突出して前記貫通穴付き構造体に固定される取付フランジが設けられ、かつ前記スリーブの外周における前記取付フランジよりも前記端部側の部分には径方向外側へ突出する環状の係止部材が設けられており、
前記キャップ材が、前記開口を覆う可撓性のカバー部と、前記カバー部の周縁に設けられた環状かつ伸縮可能な縁紐とを有し、
前記縁紐が、前記係止部材の前記取付フランジ側を向く面又は前記スリーブにおける前記係止部材と前記取付フランジとの間の外周面の全周に弾性的に係止されることを特徴とするスリーブ貫通部施工構造。
【請求項２】
前記スリーブが、外筒体と、前記外筒体の内部に設けられた内筒体と、これら外筒体及び内筒体の間に設けられた環状の断熱層と、を有し、
前記外筒体の屋外側の端部に前記係止部材となる水返しフランジが形成されており、
前記キャップ材のカバー部が、前記内筒体の屋外側の開口を覆うとともに前記断熱層の屋外側の端面に被さり、更に前記カバー部の外周部が、前記水返しフランジを屋外側から屋内側へ包み込み、前記縁紐が、前記水返しフランジの前記取付フランジ側を向く屋内側の面又は前記スリーブにおける前記水返しフランジと前記取付フランジとの間の外周面に弾性的に係止されることを特徴とする請求項１に記載のスリーブ貫通部施工構造。
【請求項３】
施工中の建物の貫通穴付き構造体の前記貫通穴にスリーブを設け、前記スリーブの外周から径方向外側へ突出された取付フランジを前記貫通穴付き構造体に固定するとともに、
可撓性のカバー部と、前記カバー部の周縁に設けられた環状かつ伸縮可能な縁紐とを有するキャップ材を用意し、
前記スリーブの端部の開口を前記カバー部にて覆うとともに、
前記縁紐を前記スリーブの前記取付フランジよりも前記端部側の部分から径方向外側へ突出された環状の係止部材の前記取付フランジ側を向く面又は前記スリーブにおける前記係止部材と前記取付フランジとの間の外周面の全周に弾性的に係止し、
所要の期間後に前記キャップ材を取り外すことを特徴とするスリーブ貫通部施工方法。
【発明の詳細な説明】
【技術分野】
【０００１】
本発明は、建物のスリーブ貫通部の施工構造及び施工方法、並びに該施工に用いるキャップ材に関し、特に外壁や鉄骨梁等の構造体の施工時にこれを貫通するスリーブ（筒体）を設置した際にスリーブ内への異物侵入を防止するのに適した施工構造及び施工方法、並びにキャップ材に関する。
【背景技術】
【０００２】
例えば、住居等の木造建物の外壁には、通常、換気等のための貫通穴が設けられている（特許文献１、２等参照）。この貫通穴に換気ダクトの屋外側の端部のスリーブが嵌め込まれている。
【先行技術文献】
【特許文献】
【０００３】
【特許文献１】特開２０１１−６４３７８号公報
【特許文献２】特開２００４−３０９０９５号公報
【発明の概要】
【発明が解決しようとする課題】
【０００４】
建物の施工中においては、外壁等に設置したスリーブの開口が外部に露出した状態になる期間がある。この露出期間中に雨水や塵埃等の異物がスリーブの内部に入り込むおそれがあり、これを放置すると換気性能等に影響が出てしまう。そこで一般的には、スリーブの端部の開口を養生テープ（易剥離性粘着テープ）で塞ぐことで、異物の侵入を防いでいる。しかし、通常、養生テープの幅はスリーブの直径より小さいため、複数本の養生テープ片が必要であり、かつ各養生テープ片の両端をスリーブの開口の縁にしっかりと貼り付けなければならず、煩雑で時間がかかる。また、最終的には、これら養生テープ片をスリーブから剥がす必要があるが、養生テープは、易剥離性であるとは言ってもある程度の粘着性を有しているため、剥離には多少の手間がかかる。さらには、一度使った養生テープ片は廃棄せざるを得ず、何度も使い回すことができない。
【課題を解決するための手段】
【０００５】
前記問題点を解決するために、本発明に係るスリーブ貫通部施工構造は、
建物の貫通穴付き構造体の前記貫通穴に設けられるスリーブと、
前記スリーブの端部の開口に着脱可能に設けられるキャップ材と、
を備え、前記キャップ材が、
前記開口を覆う可撓性のカバー部と、
前記カバー部の周縁に設けられた環状かつ伸縮可能な縁紐と
を有し、前記縁紐が、前記スリーブの前記端部の全周に弾性的に係止されることを特徴とする。
これによって、スリーブの端部の開口をキャップ材で簡易に塞ぐことができ、異物がスリーブ内に入り込むのを防止できる。また、前記開口の閉塞が不要になった時は、例えばカバー部を摘まんで引っ張ることによって、キャップ材をスリーブから簡単に引き抜くことができる。これによって、スリーブ貫通部の施工を効率的に行うことができ、工期を短縮できる。更には、取り外したキャップ材を再使用することも可能であり、資材コストを低減できる。
前記縁紐の自然状態（引っ張り力が作用していない状態）における周長が、前記スリーブの端部の周長よりも短いことが好ましい。これによって、縁紐を伸長させてスリーブの端部に確実に弾性的に係止できる。
前記異物は、雨水、雪、塵埃、小動物等の他、被覆材や塗料の飛散体をも含む。
【０００６】
前記スリーブが、外筒体と、前記外筒体の内部に設けられた内筒体と、これら外筒体及び内筒体の間に設けられた環状の断熱層と、を有し、前記外筒体の屋外側の端部には、径方向外側へ突出する環状の水返しフランジが形成されていることが好ましい。
前記キャップ材のカバー部が、前記内筒体の屋外側の開口を覆うとともに前記断熱層の屋外側の端面に被さり、更に前記カバー部の外周部が、前記水返しフランジを屋外側から屋内側へ包み込み、前記縁紐が、前記水返しフランジの屋内側の面又は前記スリーブにおける前記水返しフランジよりも屋内側の外周面に弾性的に係止されることが好ましい。
これによって、水返しフランジが縁紐の係止部材となることで、キャップ材をスリーブの端部に一層安定的に配置できる。また、カバー部が内筒体の開口及び断熱層の端面を覆うことで、異物がスリーブの内部空間に入り込むのを防止できるだけでなく、断熱層に雨水が浸み込んだり塵埃が付着したりするのを防止できる。更には、貫通穴付き構造体の内部で生じた結露水を、水返しフランジの裏面（屋内側を向く面）を伝ってスリーブの外周へ案内することで、結露水が断熱層に浸み込んだりスリーブの内部空間に入り込んだりするのを防止できる。
【０００７】
本発明に係るキャップ材は、建物の貫通穴付き構造体の施工時に、前記貫通穴に設けられるスリーブの端部の開口に着脱可能に設けられるキャップ材であって、
前記開口を覆う可撓性のカバー部と、
前記カバー部の周縁に設けられた環状かつ伸縮可能な縁紐と
を有し、前記縁紐が、前記スリーブの前記端部の全周に弾性的に係止されることを特徴とする。
このキャップ材によって、スリーブの端部の開口を簡易に塞ぐことができ、異物がスリーブ内に入り込むのを防止できる。また、前記開口の閉塞が不要になった時は、カバー部を摘まんで引くことで、キャップ材をスリーブから簡単に引き抜くことができる。
【０００８】
本発明に係るスリーブ貫通部施工方法は、
建物の貫通穴付き構造体の前記貫通穴にスリーブを設けるとともに、
可撓性のカバー部と、前記カバー部の周縁に設けられた環状かつ伸縮可能な縁紐とを有するキャップ材を用意し、
前記スリーブの端部の開口を前記カバー部にて覆うとともに、
前記縁紐を前記スリーブの前記端部の全周に弾性的に係止し、
所要の期間後に前記キャップ材を取り外すことを特徴とする。
これによって、スリーブの端部の開口をキャップ材で簡易に塞ぐことができ、異物がスリーブ内に入り込むのを防止できる。また、所要の期間の終了後は、キャップ材を簡単に撤去することができる。ここで、所要の期間とは、スリーブの開口の閉塞が不要になる迄の、異物侵入の阻止を要する期間、ないしは異物侵入が起きやすい期間を言い、具体的には、例えばサイディング等の外装材を設置するまでの期間や、スリーブへのベントキャップの装着や換気ダクトの挿通又は接続を開始するまでの期間や、被覆材や塗料の塗布が終了するまでの期間等を言う。
【発明の効果】
【０００９】
本発明によれば、スリーブの端部の開口をキャップ材で簡易に塞ぐことができ、雨水や塵埃、被覆材の飛散体等の異物がスリーブ内に入り込むのを防止できる。また、開口の閉塞が不要になった時は、キャップ材を簡単に撤去することができる。これによって、スリーブ貫通部の施工を効率的に行うことができ、工期を短縮できる。更には、撤去したキャップ材を再使用することも可能であり、資材コストを低減できる。
【図面の簡単な説明】
【００１０】
【図１】図１は、本発明の第１実施形態に係る建物のスリーブ貫通部施工構造を示し、詳しくは、施工中の木造家屋の外壁のスリーブ貫通部及びその周辺を、外装材及び内装材等が未施工の状態で示す側面断面図である。
【図２】図２は、前記貫通部に設けられたスリーブ及びキャップ材の分解斜視図である。
【図３】図３（ａ）は、前記施工中の外壁のスリーブ貫通部を、外装材及び内装材等を設置した状態で示す側面断面図である。図３（ｂ）は、施工完了後の前記外壁のスリーブ貫通部を示す側面断面図である。
【図４】図４は、本発明の第２実施形態に係る建物のスリーブ貫通部施工構造を示し、詳しくは、施工中の鉄骨造建物の鉄骨梁と、これを貫通するスリーブ、及びスリーブの両端に設けられるキャップ材の分解斜視図である。
【図５】図５は、前記第２実施形態の施工中の鉄骨梁のスリーブ貫通部及びその周辺を示す断面図である。
【発明を実施するための形態】
【００１１】
以下、本発明の実施形態を図面にしたがって説明する。
図１〜図３は、本発明の第１実施形態を示したものである。第１実施形態は、木造家屋Ａ（建物）の外壁１０（貫通穴付き構造体）における換気ダクト２用のスリーブ貫通部施工構造１及び施工方法に係る。なお、図１及び図３（ａ）は、施工中の外壁１０を示す。図１のニ点鎖線は、未設置の外壁構成要素を示す。図３（ｂ）は、施工完了後の外壁１０を示す。以下の外壁１０及び換気ダクト２の構造については、特に断らない限り、施工完了後の状態で説明する。
【００１２】
図１及び図３（ｂ）に示すように、外壁１０は、壁板材１１と、外装材１２と、内装材１３を有している。壁板材１１は、例えば構造用合板にて構成され、鉛直に配置されている。壁板材１１の屋外側（両図において右側）に、胴縁１４を介して、サイディング等の外装材１２が設けられている。壁板材１１と外装材１２との間に通気層１５が形成されている。壁板材１１の屋内側（両図において左側）に、軸組１６を介して、石膏ボード等の内装材１３が設けられている。軸組１６は、柱１６ｖ（間柱、管柱を含む）及び横架材１６ｈ等にて構成されている。これら柱１６ｖ及び横架材１６ｈにて囲まれた空間内に断熱材１７が設けられている。
【００１３】
外壁１０には貫通穴１９が形成されている。貫通穴１９は、外壁１０を厚さ方向（図３（ｂ）において左右）に屋内側から屋外側へ貫通している。貫通穴１９における外装材１２の穴部分１９ｂは、壁板材１１の穴部分１９ａ及び内装材１３の穴部分１９ｃよりも小径である。
【００１４】
木造家屋Ａには換気ダクト２が配管されている。換気ダクト２は、ダクト本体２ａと、スリーブ２０とを含む。ダクト本体２ａの端部に、連結筒２８を介してスリーブ２０が接続されている。このスリーブ２０が、貫通穴１９に嵌め込まれている。
【００１５】
図１及び図２に示すように、スリーブ２０は、外筒体２１と、内筒体２２と、断熱層２３とを有している。外筒体２１は、亜鉛メッキ鋼、ステンレス鋼、高耐食溶融めっき鋼、アルミニウム等の金属にて構成され、円筒形になっている。外筒体２１の外周面が、貫通穴１９の内周面と接し、ないしは対面している。外筒体２１の軸線方向の中間部には、環状の内リブ２１ｃが形成されている。内リブ２１ｃは、外筒体２１の外周面から径方向内側へ凹むとともに、外筒体２１の内周面から径方向内側へ突出されている。
【００１６】
図１及び図２に示すように、外筒体２１の中間部における内リブ２１ｃより屋外側の外周には、フランジ部材２４が設けられている。フランジ部材２４は、嵌合筒部２４ｂと、取付フランジ２４ｆを含み、四角形の板状になっている。フランジ部材２４の中央には嵌合穴２４ｃが形成されている。嵌合穴２４ｃの周縁には、嵌合筒部２４ｂが屋外側（図１において右側）へ突設されている。嵌合筒部２４ｂは、外筒体２１の大きさに合わせた円形の短筒形状になっている。この嵌合筒部２４ｂが、外筒体２１の外周に嵌合されて、外筒体２１と一体になっている。
【００１７】
フランジ部材２４における嵌合筒部２４ｂを除く平板部分が、取付フランジ２４ｆを構成している。取付フランジ２４ｆは、外筒体２１の全周から径方向外側へ突出されている。取付フランジ２４ｆの外周形状は、四角形になっているが、これに限られるものではなく、円形になっていてもよい。この取付フランジ２４ｆが、壁板材１１の屋外側の面に宛がわれている。更に、取付フランジ２４ｆの四隅がビス２５にて壁板材１１に連結されている。これによって、スリーブ２０が外壁１０に固定されている。
【００１８】
さらに、外筒体２１の屋外側の端部には、水返しフランジ２１ｆが一体に形成されている。水返しフランジ２１ｆは、外筒体２１から径方向外側へ突出されるとともに、外筒体２１の全周にわたる環状になっている。水返しフランジ２１ｆの外筒体２１からの突出高さは、例えば１ｍｍ〜５０ｍｍ程度であり、好ましくは３ｍｍ〜２０ｍｍ程度であり、より好ましくは７ｍｍ程度である。水返しフランジ２１ｆは、取付フランジ２４ｆの屋外側（図１において右）に離れて配置されている。かつ、嵌合筒部２４ｂの屋外側の端縁が、水返しフランジ２１ｆに突き当たっている。水返しフランジ２１ｆの面積は、取付フランジ２４ｆよりも十分に小さい。図３（ｂ）に示すように、この水返しフランジ２１ｆが、外装材１２の裏面（屋内を向く面）に宛がわれている。
【００１９】
図１及び図２に示すように、外筒体２１の内部に内筒体２２が配置されている。内筒体２２は、外筒体２１よりも小径で、かつ外筒体２１よりも長い円筒形になっている。内筒体２２の材質は、亜鉛メッキ鋼、ステンレス鋼、高耐食溶融めっき鋼、アルミニウム等の金属である。好ましくは、内筒体２２は、金属帯板を螺旋状に巻き、重なり部をハゼ嵌合したスパイラル管にて構成されている。内筒体２２の屋外側（図１において右側）の端部は、外筒体２１よりも屋外側へ突出されている。図３（ｂ）に示すように、この突出量は、外装材１２の厚みとほぼ対応している。内筒体２２の前記突出端部が、外装材１２の貫通穴部分１９ｂに嵌め込まれている。外装材１２の外面にはベントキャップ２６が設けられている。このベントキャップ２６が、貫通穴部分１９ｂを覆うとともに、内筒体２２の屋外側の端部の開口２９に嵌め込まれている。
【００２０】
外筒体２１と内筒体２２との間に環状の断熱層２３が設けられている。断熱層２３の材質は、ガラス繊維フェルトにて構成されているが、これに限られず、グラスウール、セラミックウール、ロックウール等であってもよい。内リブ２１ｃが断熱層２３に食い込んでいる。これによって、外筒体２１と断熱層２３との密着度が高められている。断熱層２３の屋外側の端面は、外筒体２１の屋外側の端面とほぼ面一になっており、外筒体２１と内筒体２２の間から露出されている。図３（ｂ）に示すように、断熱層２３の屋外側の端面が、外装材１２の裏面に宛がわれている。
【００２１】
図１に示すように、施工中の外壁１０すなわちスリーブ貫通部施工構造１には、キャップ材３０が設けられる。図１及び図２に示すように、キャップ材３０は、カバー部３１と、縁紐３２を含む。カバー部３１は、薄い樹脂フィルムで構成され、可撓性（易変形性）を有している。カバー部３１の厚みは、例えば１０μｍ〜３００μｍ程度である。カバー部３１の材質は、例えばポリエチレン（ＰＥ）やポリプロピレン（ＰＰ）であるが、これに限定されるものではない。カバー部３１の縁紐３２との接合前の展開形状は、概略円形になっている。
【００２２】
このカバー部３１の周縁に縁紐３２が設けられている。縁紐３２は、環状かつ伸縮可能なゴム等にて構成されている。好ましくは、縁紐３２は、薄肉の平帯状になっている。縁紐３２の自然状態における厚みは、例えば１０μｍ〜３００μｍ程度である。縁紐３２の自然状態（非伸長時）における周長は、カバー部３１における縁紐３２との接合前の外周長よりも短く、かつスリーブ２０の外筒体２１の外周長ひいては水返しフランジ２１ｆの外周縁の周長よりも短い。この縁紐３２が、全周にわたってカバー部３１の周縁と融着、接着、縫製等の接合手段によって接合されている。接合時には、例えば、縁紐３２をカバー部３１の外周長に合わせて伸長させておき、接合後に縁紐３２を解放して自然状態の長さに戻す。これによって、カバー部３１の周縁部がギャザー状に縮められるとともに、この周縁部を含むカバー部３１の外周部分が屋内側へ折り返され、ないしはめくられている。カバー部３１を膨らませたときのキャップ材３０の概略形状は、やや扁平な半球面状になり、かつ屋内側へ開放されている。また、キャップ材３０は、折畳・展開自在である。
【００２３】
図１に示すように、キャップ材３０は、施工中の外壁１０におけるスリーブ２０の屋外側の端部に装着されている。このキャップ材３０のカバー部３１が、スリーブ２０の開口２９を覆うとともに、断熱層２３の屋外側の露出端面に被さり、更に水返しフランジ２１ｆの屋内側へ回り込んでいる。そして、縁紐３２が、自然状態よりも伸長されて、水返しフランジ２１ｆの屋内側の面又は嵌合筒部２４ｂの外周面の全周にわたって弾性的に係止されている。
【００２４】
外壁１０の施工方法ひいては貫通部施工方法を、キャップ材３０の使用方法を中心に説明する。
図１に示すように、外壁１０の壁板材１１及び軸組１６を構築し、かつ換気ダクト２のスリーブ２０を壁板材１１の貫通穴１９に嵌め込んだ後、スリーブ２０の屋外側の端部にキャップ材３０を取り付ける。
すなわち、キャップ材３０のカバー部３１を、内筒体２２の屋外側への突出部分及び断熱層２３の屋外側への露出端面に被せる。さらに、カバー部３１の外周部を水返しフランジ２１ｆに被せるとともに、縁紐３２を伸長させながら水返しフランジ２１ｆよりも屋内側に位置させる。これによって、縁紐３２が、水返しフランジ２１ｆの屋内側の面又は嵌合筒部２４ｂの外周面（ひいてはスリーブ２０の屋外側の端部）の全周にわたって弾性的に係止される。このようにして、キャップ材３０をスリーブ２０の屋外側の端部に簡単に装着できる。水返しフランジ２１ｆが縁紐３２の係止部材となることによって、キャップ材３０をスリーブ２０の屋外側の端部に安定的に配置できる。
【００２５】
スリーブ２０の開口２０が屋外へ露出されていたとしても、キャップ材３０のカバー部３１により開口２９を覆うことによって、雨、雪、塵埃、小動物等の異物が開口２９から内筒体２２の内部ひいては換気ダクト２内に入り込むのを防止できる。
また、カバー部３１により断熱層２３の屋外側への露出端面を覆うことによって、外壁１０の施工期間中に雨水が断熱層２３に浸み込んだり、断熱層２３に塵埃が付着したりするのを防止できる。
【００２６】
図３（ａ）に示すように、キャップ材３０をスリーブ２０の屋外側の端部に装着した状態で、外壁１０の外装材１２の設置工程や内装材１３の設置工程を行なう。これによって、特に外装材１２の設置の際、外装材１２から出る塵埃等の異物が開口２９から内筒体２２内に入り込むのを防止できる。
外装材１２の設置によって、カバー部３１が外装材１２とスリーブ２０との間に挟まれる。カバー部３１は薄いフィルムであるから、外装材１２とスリーブ２０との間の間隙内に十分に収まることができ、外装材１２の設置の支障にならない。
【００２７】
外装材１２の設置後（所要の期間の終了後）、キャップ材３０を撤去する。図３（ａ）の矢印にて示すように、撤去の際は、例えばカバー部３１の中央部を掴んで屋外方向へ引っ張る。これによって、キャップ材３０をスリーブ２０から簡単に引き抜くことができる。このとき、縁紐３２は水返しフランジ２１ｆを乗り越えて屋外側へ移行する。水返しフランジ２１ｆの突出高さを好ましくは３ｍｍ〜１０ｍｍ程度（より好ましくは７ｍｍ程度）とすることによって、縁紐３２が水返しフランジ２１ｆを簡単に乗り越えるようにすることができる。また、カバー部３１がミクロンオーダーの厚みの薄いフィルムであり、かつ縁紐３２がミクロンオーダーの厚みの薄肉平帯状であるため、カバー部３１及び縁紐３２を外装材１２とスリーブ２０との間の間隙から簡単に引き抜くことができる。
その後、開口２９にベントキャップ２６を設置する。
【００２８】
キャップ材３０は、養生テープと比べて、スリーブ２０への装着作業及び撤去作業が極めて容易である。したがって、施工を効率的に行うことができ、工期を短縮できる。
更には、撤去したキャップ材３０を再使用することも可能であり、資材コストを低減できる。
また、キャップ材３０は折り畳むことでコンパクトになり、薄肉であるから多数のキャップ材３０を重ねてもあまり嵩張ることが無い。したがって、持ち運び、収納、保管等を容易に行なうことができる。
【００２９】
外壁１０において、外装材１２の裏面に付いた結露水は、水返しフランジ２１ｆの裏面（屋内側を向く面）を伝って下方へ流れる。これによって、結露水が、断熱層２３内に浸み込んだり内筒体２２の内部に入り込んだりするのを防止できる。
【００３０】
次に、本発明の他の実施形態を説明する。以下の実施形態において、既述の形態と重複する構成に関しては図面に同一符号を付して説明を簡略化する。
図４及び図５は、本発明の第２実施形態を示したものである。第２実施形態は、オフィスビル等の鉄骨ビルＢ（建物）の鉄骨梁４０（貫通穴付き構造体）のスリーブ貫通部施工構造４及び施工方法に係る。鉄骨梁４０のウエブ４１には、円形の貫通穴４９が形成されている。この貫通穴４９にスリーブ５０が挿通されている。スリーブ５０は、図５において二点鎖線にて示す換気ダクト５を支持するためのものであり、円筒形状になっている。このスリーブ５０が鉄骨梁４０を貫通し、その中央部が貫通穴４９内に位置されるとともに、両端部がウエブ４１の両側へ突出されている。図示は省略するが、スリーブ５０の外周部には支持手段が設けられており、この支持手段を介してスリーブ５０が鉄骨梁４０に支持されている。
【００３１】
図５に示すように、鉄骨梁４０の外表面には、耐火被覆材４５が塗布される。この塗布に先立ち、スリーブ５０の両端部にそれぞれキャップ材３０を装着する。すなわち、一対のキャップ材３０のカバー部３１をスリーブ５０の両端部の開口５９にそれぞれ被せるとともに、各キャップ材３０の縁紐３２をスリーブ５０の端部の外周に被せる。これによって、キャップ材３０をスリーブ５０に簡単に装着できる。縁紐３２の自然状態における周長は、スリーブ５０の外周長よりも短い。したがって、縁紐３２がスリーブ５０の外周面に弾性的に係止される。これによって、キャップ材３０をスリーブ５０の端部に安定的に配置することができる。
【００３２】
このキャップ材３０のカバー部３１によって、スリーブ５０の端部の開口５９を塞ぐことができる。したがって、耐火被覆材４５の塗布施工時に、耐火被覆材４５の飛散体（異物）がスリーブ５０の内部に入り込むのを防止できる。
【００３３】
耐火被覆材４５の塗布後（所要の期間の終了後）、キャップ材３０を取り外す。取り外しに際しては、カバー部３１の中央部を掴んでウエブ４１側とは反対側へ引っ張ることによって、キャップ材３０をスリーブ５０から簡単に引き抜くことができる。
【００３４】
その後、換気ダクト５をスリーブ５０内に挿通する。スリーブ５０の内部に耐火被覆材４５が付着していないため、換気ダクト５の挿通作業を簡単に行なうことができる。
【００３５】
本発明は、前記実施形態に限られず、その趣旨を逸脱しない範囲内で種々の改変をなすことができる。
例えば、キャップ材３０のスリーブ２０，５０への装着時期及び取り外し時期は、適宜変更してもよい。第１実施形態において、外装材１２を設置する前に、キャップ材３０をスリーブ２０から取り外してもよい。
スリーブ２０，５０の形状は、円筒形に限られず、四角筒などの角筒形であってもよい。その場合でも、縁紐３２が弾性によってスリーブ２０，５０の外周面の全周に係止されるようにすることができる。
第１実施形態において、ダクト本体２ａを接続する前のスリーブ２０の屋内側（図１において左側）の端部にも、キャップ材３０を装着することにしてもよい。
本発明は、スリーブ貫通部が有る建物であれば、木造家屋Ａや鉄骨ビルＢに限られず、鉄筋コンクリート構造の建物等にも適用できる。スリーブ貫通部は、換気ダクト用に限られず、ガス管や水道管を通すものであってもよく、電気線や通信回線を通すものであってもよい。
水返しフランジ２１ｆは、キャップ材３０を用いないで設置施工するスリーブ２０にも適用可能である。
【産業上の利用可能性】
【００３６】
本発明は、木造住居や鉄骨構造物等の建物のダクト貫通部の施工に適用できる。
【符号の説明】
【００３７】
Ａ      木造家屋（建物）
Ｂ      鉄骨ビル（建物）
１      スリーブ貫通部施工構造
１０    外壁（貫通穴付き構造体）
１９    貫通穴
２０    スリーブ
２１    外筒体
２１ｆ  水返しフランジ
２２    内筒体
２３    断熱層
２９    開口（スリーブの端部の開口、屋外側の開口）
３０    キャップ材
３１    カバー部
３２    縁紐
４      スリーブ貫通部施工構造
４０    鉄骨梁（貫通穴付き構造体）
４９    貫通穴
５０    スリーブ
５９    開口
【図１】
0006482210.tif 000002
【図２】
0006482210.tif 000003
【図３】
0006482210.tif 000004
【図４】
0006482210.tif 000005
【図５】
0006482210.tif 000006